(57)【特許請求の範囲】
【請求項１】
筒状の胴部と、この胴部の下部開口部分を閉鎖する底部と、胴部の上部開口部分を閉鎖する蓋部とを備えた組立包装箱であって、胴部の一部を構成する背面板の上端縁に、折目線及び切込線を介して表示基板を連設し、この表示基板は、イラストや宣伝広告の如き表示がその外表面に施される広告表示片と、広告表示片の側端縁部に沿うように配されると共に、背面板と広告表示片とを連結する可撓連結片とを備え、広告表示片及び可撓連結片は、切込線及び折目線を介して背面板の内表面がわに折返されると共に、広告表示片の一部が接着層を介して背面板の内表面に接着され、広告表示片或いは背面板に、前記接着層部分を囲繞し、且つ切残部を含むような切込線を設け、折返されて背面板の内表面に接着された状態の広告表示片の上端部分を手指で上方に引くことにより、前記切残部が破断して、可撓連結片を変形させながら、広告表示片を強制的に引き上げられるよう構成したことを特徴とする組立包装箱。
【請求項２】
筒状の胴部と、この胴部の下部開口部分を閉鎖する底部と、胴部の上部開口部分を閉鎖する蓋部とを備えた組立包装箱であって、胴部の一部を構成する背面板の上端縁に、折目線及び切込線を介して表示基板を連設し、この表示基板は、イラストや宣伝広告の如き表示がその外表面に施される広告表示片と、広告表示片の側端縁部に沿うように配されると共に、背面板と広告表示片とを連結する可撓連結片とを備え、広告表示片及び可撓連結片は、切込線及び折目線を介して背面板の内表面がわに折返されると共に、折返された広告表示片の上端寄り部分が接着層を介して背面板の内表面に接着され、背面板の上端部に、前記接着層部分を囲繞し、且つ切残部を含むようなＵ字状の切込線を設け、折返されて背面板の内表面に接着された状態の広告表示片の上端部分及び背面板の切込線で囲繞された部分を、手指で上方に引くことにより、前記切残部が破断して、可撓連結片を変形させながら、広告表示片を強制的に引き上げられるよう構成したことを特徴とする組立包装箱。
【請求項３】
前記表示基板は、広告表示片と、この広告表示片の左右側端縁部に夫々沿うように配されると共に、背面板と広告表示片とを連結する左右の可撓連結片とで構成したことを特徴とする請求項１または請求項２記載の組立包装箱。
【請求項４】
前記表示基板は、広告表示片と、この広告表示片の左右どちらか一方の側端部に沿うように配されると共に、背面板と広告表示片とを連結する一つの可撓連結片とで構成したことを特徴とする請求項１または請求項２記載の組立包装箱。
【発明の詳細な説明】
【技術分野】
【０００１】
本発明は、例えば、化粧品や、薬品や、ドリンク剤や、その他の適宜商品を収納できると共に、店頭等に陳列できる組立包装箱に係り、特に、イラストや広告宣伝の如き表示が施された広告表示片を必要に応じて箱本体から引き出して陳列できるように工夫した組立包装箱に関するものである。
【背景技術】
【０００２】
従来、この種の組立包装箱にあっては、種々のものが提供されており、例えば、特許文献１に示すような商品の収納用箱が開示されている。
これは、第１の表面部、第２の表面部及び左右の側面部を有して底面部が閉塞された四角筒状の箱本体の上縁に、前記第２の表面部の上縁から延長して開放上面を閉止する上面フラップを設けるとともに、前記上面フラップの自由端を前記第１の表面部の上方内面側に位置させ、前記箱本体の内部に、第１の表面部の内面側に沿うようにして表示用シートを設け、前記表示用シートを、上面フラップの自由端と第１の表面部の内面との間の隙間に通して上下に摺動可能に設けたものである。
すなわち、表示用シートの表面、裏面に、内部に収納している商品の宣伝広告文、取り扱い説明、品質、効能、原材料、使用方法、製造者責任表示、キャッチフレーズ等を記載して、展示時、販売陳列時に引き出すことにより、目立つ表示を可能としたものである。
【先行技術文献】
【特許文献】
【０００３】
【特許文献１】特開２００２−５９９１８号公報
【発明の概要】
【発明が解決しようとする課題】
【０００４】
ところが、前述の如き商品の収納用箱にあっては、表示用シートと箱本体とが別体となっており、箱本体への表示用シートのセットが面倒となる難点があった。すなわち、箱本体に商品を収納する際に、表示用シートを箱本体内で保持させておくことができず、そのため、箱本体に商品を収納し、その後、上面フラップで蓋をしてから、表示用シートを隙間から差込み装着するか、或いは、箱本体内に表示用シートをセットすると共に商品を収納してから、上面フラップで蓋をしなければならず、包装作業に余分な手間がかかったり、商品の収納がスムーズに行えなかったり、商品の収納作業が自動化し難くかったり、或いは、自動化がより複雑となり、コスト高となる等の問題点があった。
そこで、本発明は、前述の如き難点等を解消できるようにすると共に、構成が簡素で、組立て易く、商品の収納作業に影響せず、広告表示片を紙箱本体から簡単に且つスムーズに引き出すことができ、しかも、耐久性に優れ、取扱い易く、量産に適し、低廉で、経済的に優れた組立包装箱を提供できるようにすべく創出されたものである。
【課題を解決するための手段】
【０００５】
しかして、前述の如き課題を達成できるようにすべく、本発明の請求項１記載の組立包装箱にあっては、筒状の胴部Ｂ１と、この胴部Ｂ１の下部開口部分を閉鎖する底部Ｂ２と、胴部Ｂ１の上部開口部分を閉鎖する蓋部Ｂ３とを備えた組立包装箱であって、胴部Ｂ１の一部を構成する背面板２１の上端縁に、折目線３及び切込線４を介して表示基板Ａを連設し、この表示基板Ａは、イラストや宣伝広告の如き表示がその外表面に施される広告表示片１と、広告表示片１の側端縁部に沿うように配されると共に、背面板２１と広告表示片１とを連結する可撓連結片２とを備え、広告表示片１及び可撓連結片２は、切込線４及び折目線３を介して背面板２１の内表面がわに折返されると共に、広告表示片１の一部が接着層１６を介して背面板２１の内表面に接着され、広告表示片１或いは背面板２１に、前記接着層１６部分を囲繞し、且つ切残部１２、２８を含むような切込線１１、２７を設け、折返されて背面板２１の内表面に接着された状態の広告表示片１の上端部分を手指で上方に引くことにより、前記切残部１２、２８が破断して、可撓連結片２を変形させながら、広告表示片１を強制的に引き上げられるよう構成する手段を採用した。
【０００６】
また、請求項２記載の組立包装箱にあっては、筒状の胴部Ｂ１と、この胴部Ｂ１の下部開口部分を閉鎖する底部Ｂ２と、胴部Ｂ１の上部開口部分を閉鎖する蓋部Ｂ３とを備えた組立包装箱であって、胴部Ｂ１の一部を構成する背面板２１の上端縁に、折目線３及び切込線４を介して表示基板Ａを連設し、この表示基板Ａは、イラストや宣伝広告の如き表示がその外表面に施される広告表示片１と、広告表示片１の側端縁部に沿うように配されると共に、背面板２１と広告表示片１とを連結する可撓連結片２とを備え、広告表示片１及び可撓連結片２は、切込線４及び折目線３を介して背面板２１の内表面がわに折返されると共に、折返された広告表示片１の上端寄り部分が接着層１６を介して背面板２１の内表面に接着され、背面板２１の上端部に、前記接着層１６部分を囲繞し、且つ切残部２８を含むようなＵ字状の切込線２７を設け、折返されて背面板２１の内表面に接着された状態の広告表示片１の上端部分及び背面板２１の切込線２７で囲繞された部分を、手指で上方に引くことにより、前記切残部２８が破断して、可撓連結片２を変形させながら、広告表示片１を強制的に引き上げられるよう構成する手段を採用した。
【０００７】
更に、請求項３記載の組立包装箱にあっては、前記表示基板Ａは、広告表示片１と、この広告表示片１の左右側端縁部に夫々沿うように配されると共に、背面板２１と広告表示片１とを連結する左右の可撓連結片２とで構成する手段を採用した。
【０００８】
そして、請求項４記載の組立包装箱にあっては、前記表示基板Ａは、広告表示片１と、この広告表示片１の左右どちらか一方の側端縁部に沿うように配されると共に、背面板２１と広告表示片１とを連結する一つの可撓連結片２とで構成する手段を採用した。
【発明の効果】
【０００９】
従って、本発明の請求項１記載の組立包装箱によれば、広告表示片１の上端部分を手指で摘んで上方に引くことにより、切残部１２、２８を破断させ、可撓連結片２を変形させながら、広告表示片１を簡単に且つスムーズに引き上げられるようになる。すなわち、イラストや広告宣伝の如き表示が施された広告表示片１を必要に応じて箱本体Ｂから引き出して陳列できるようになる。しかも、構成が簡素で、量産に適し、低廉で、経済的に優れた組立包装箱を提供できるようになる。
【００１０】
加えて、胴部Ｂ１の一部を構成する背面板２１の上端縁に、折目線３及び切込線４を介して表示基板Ａを連設し、この表示基板Ａは、イラストや宣伝広告の如き表示がその外表面に施される広告表示片１と、広告表示片１の側端縁部に沿うように配されると共に、背面板２１と広告表示片１とを連結する可撓連結片２とを備え、広告表示片１及び可撓連結片２は、切込線４及び折目線３を介して背面板２１の内表面がわに折返されるので、広告表示片１の外表面にイラストや宣伝広告の如き表示を施す際に、箱本体Ｂの外表面にも適宜表示を同時に施せるようになる。すなわち、組立包装箱を構成する一枚のシート材の一方の表面（外表面）にのみ印刷を施すだけで構成できるようになり、より経済的な組立包装箱となる。しかも、広告表示片１の外表面のイラストや宣伝広告の如き表示を、箱本体Ｂの正面（正面板２０）がわに現出させることができ、より目立たせることができるようになる。
【００１１】
特に、広告表示片１及び可撓連結片２は、切込線４及び折目線３を介して背面板２１の内表面がわに折返されると共に、広告表示片１の一部が接着層１６を介して背面板２１の内表面に接着され、広告表示片１或いは背面板２１に、前記接着層１６部分を囲繞し、且つ切残部１２、２８を含むような切込線１１、２７を設け、折返されて背面板２１の内表面に接着された状態の広告表示片１の上端部分を手指で上方に引くことにより、前記切残部１２、２８が破断して、可撓連結片２を変形させながら、広告表示片１を強制的に引き上げられるよう構成したので、接着層１６によって、広告表示片１及び可撓連結片２が背面板２１の内表面がわに折返された状態を確実に維持できるようになり、組立包装箱の組立作業や、組立包装箱内への商品の収納作業に於いて、広告表示片１や可撓連結片２が背面板２１の内表面から離れて邪魔になるような虞を確実に解消できるようになる。すなわち、広告表示片１や可撓連結片２を損傷することがないと共に、広告表示片１や可撓連結片２が商品の収納作業に影響することがないため、商品の収納がスムーズに行えるようになり、包装作業が簡単に且つ迅速に行え、しかも、商品の収納作業の自動化が行い易く、コストの低減が可能な組立包装箱となる。
そして、広告表示片１の上端部分を手指で摘んで上方に引くだけで、切残部１２、２８を破断させてから、広告表示片１を引き上げられるようになる。すなわち、組立て易く、耐久性に優れ、取扱い易い組立包装箱となる。
【００１２】
また、本発明の請求項２記載の組立包装箱によれば、広告表示片１の上端部分を手指で摘んで上方に引くことにより、切残部２８を破断させ、可撓連結片２を変形させながら、広告表示片１を簡単に且つスムーズに引き上げられるようになる。すなわち、イラストや広告宣伝の如き表示が施された広告表示片１を必要に応じて箱本体Ｂから引き出して陳列できるようになる。しかも、構成が簡素で、量産に適し、低廉で、経済的に優れた組立包装箱を提供できるようになる。
【００１３】
加えて、胴部Ｂ１の一部を構成する背面板２１の上端縁に、折目線３及び切込線４を介して表示基板Ａを連設し、この表示基板Ａは、イラストや宣伝広告の如き表示がその外表面に施される広告表示片１と、広告表示片１の側端縁部に沿うように配されると共に、背面板２１と広告表示片１とを連結する可撓連結片２とを備え、広告表示片１及び可撓連結片２は、切込線４及び折目線３を介して背面板２１の内表面がわに折返されるので、広告表示片１の外表面にイラストや宣伝広告の如き表示を施す際に、箱本体Ｂの外表面にも適宜表示を同時に施せるようになる。すなわち、組立包装箱を構成する一枚のシート材の一方の表面（外表面）にのみ印刷を施すだけで構成できるようになり、より経済的な組立包装箱となる。しかも、広告表示片１の外表面のイラストや宣伝広告の如き表示を、箱本体Ｂの正面（正面板２０）がわに現出させることができ、より目立たせることができるようになる。
【００１４】
特に、広告表示片１及び可撓連結片２は、切込線４及び折目線３を介して背面板２１の内表面がわに折返されると共に、折返された広告表示片１の上端寄り部分が接着層１６を介して背面板２１の内表面に接着され、背面板２１の上端部に、前記接着層１６部分を囲繞し、且つ切残部２８を含むようなＵ字状の切込線２７を設け、折返されて背面板２１の内表面に接着された状態の広告表示片１の上端部分及び背面板２１の切込線２７で囲繞された部分を、手指で上方に引くことにより、前記切残部２８が破断して、可撓連結片２を変形させながら、広告表示片１を強制的に引き上げられるよう構成したので、接着層１６によって、広告表示片１及び可撓連結片２が背面板２１の内表面がわに折返された状態を確実に維持できるようになり、組立包装箱の組立作業や、組立包装箱内への商品の収納作業に於いて、広告表示片１や可撓連結片２が背面板２１の内表面から離れて邪魔になるような虞を解消できるようになる。すなわち、広告表示片１や可撓連結片２を損傷することがないと共に、広告表示片１や可撓連結片２が商品の収納作業に影響することがないため、商品の収納がスムーズに行えるようになり、包装作業が簡単に且つ迅速に行え、しかも、商品の収納作業の自動化が行い易く、コストの低減が可能な組立包装箱となる。
そして、折返されて背面板２１の内表面に接着された状態の広告表示片１の上端部分及び背面板２１の切込線２７で囲繞された部分を、手指で摘んで上方に引くだけで、切残部２８を破断させてから、広告表示片１を引き上げられるようになる。すなわち、組立て易く、耐久性に優れ、取扱い易い組立包装箱となる。しかも、広告表示片１の上端部分及び背面板２１の切込線２７で囲繞された部分は、手指で摘み易いものとなり、より取扱い易い組立包装箱となる。
【００１５】
更に、本発明の請求項３記載の組立包装箱によれば、左右の可撓連結片２によって広告表示片１を箱本体Ｂからバランス良く引き出すことができるようになる。
【００１６】
そして、本発明の請求項４記載の組立包装箱によれば、広告表示片１を箱本体Ｂからよりスムーズに引き出すことができるようになると共に、引き出した広告表示片１を可撓連結片２の変形によって箱本体Ｂに対して左右方向に傾けることができるようになり、より興趣に富む広告表示片１を提供できるようになる。
【図面の簡単な説明】
【００１７】
【図１】本発明の組立包装箱を例示する展開図である。
【図２】本発明の組立包装箱を例示する斜視図である。
【図３】本発明の組立包装箱を例示する一部切欠斜視図である。
【図４】本発明の組立包装箱を例示する縦断正面図である。
【図５】本発明の組立包装箱を例示する部分縦断側面図である。
【図６】本発明の他の組立包装箱を例示する展開図である。
【図７】本発明の他の組立包装箱を例示する斜視図である。
【図８】本発明の他の組立包装箱を例示する一部切欠斜視図である。
【図９】本発明の他の組立包装箱を例示する縦断正面図である。
【図１０】本発明の他の組立包装箱を例示する部分縦断側面図である。
【図１１】本発明の他の組立包装箱を例示する部分展開図である。
【図１２】本発明の他の組立包装箱を例示する部分展開図である。
【図１３】本発明の他の組立包装箱を例示する蓋部の組立前の斜視図である。
【図１４】本発明の他の組立包装箱を例示する蓋部の組立途中の部分斜視図である。
【図１５】本発明の他の組立包装箱を例示する蓋部の組立後の部分斜視図である。
【図１６】本発明の他の組立包装箱を例示する蓋部の組立前の斜視図である。
【図１７】本発明の他の組立包装箱を例示する蓋部の組立途中の部分斜視図である。
【図１８】本発明の他の組立包装箱を例示する蓋部の組立後の部分斜視図である。
【発明を実施するための形態】
【００１８】
以下、本発明を図示例に基づいて説明すると、次の通りである。
本発明の組立包装箱は、例えば、化粧品や、薬品や、ドリンク剤や、その他の適宜商品を収納できると共に、店頭等に陳列できるようにしたものである。
具体的には、筒状の胴部Ｂ１と、この胴部Ｂ１の下部開口部分を閉鎖する底部Ｂ２と、胴部Ｂ１の上部開口部分を閉鎖する蓋部Ｂ３とを備えた組立包装箱である。
そして、胴部Ｂ１の一部を構成する背面板２１の上端縁に、折目線３及び切込線４を介して表示基板Ａを連設し、この表示基板Ａは、イラストや宣伝広告の如き表示がその外表面に施される広告表示片１と、広告表示片１の側端縁部に沿うように配されると共に、背面板２１と広告表示片１とを連結する可撓連結片２とを備えている。
しかも、広告表示片１及び可撓連結片２は、切込線４及び折目線３を介して背面板２１の内表面がわに折返されると共に、広告表示片１の一部が接着層１６を介して背面板２１の内表面に接着され、広告表示片１或いは背面板２１に、前記接着層１６部分を囲繞し、且つ切残部１２、２８を含むような切込線１１、２７を設けてある。
それから、折返されて背面板２１の内表面に接着された状態の広告表示片１の上端部分を手指で上方に引くことにより、前記切残部１２、２８が破断して、可撓連結片２を変形させながら、広告表示片１を強制的に引き上げられるよう構成することにより、前記課題を達成するものである。
【実施例１】
【００１９】
図１乃至図５に示す組立包装箱は、例えば、紙材（或いは、合成樹脂材、或いは、複合材を利用しても良い）からなる一枚のシート材から形成されるもので、筒状の胴部Ｂ１と、この胴部Ｂ１の下部開口部分を閉鎖する底部Ｂ２と、胴部Ｂ１の上部開口部分を閉鎖する蓋部Ｂ３とからなる箱本体Ｂを形成し、この箱本体Ｂの背面板２１の上端縁に表示基板Ａを連設して構成したものである。
そして、前記箱本体Ｂの胴部Ｂ１は、矩形状の正面板２０と、この正面板２０の右側端縁に折目線２５を介して連設される矩形状の右側板２２と、正面板２０の左側端縁に折目線２５を介して連設される矩形状の左側板２３と、右側板２２の後端縁に折目線２５を介して連設される矩形状の背面板２１と、背面板２１の左側端縁に折目線２５を介して連設されると共に、左側板２３の後端縁がわ内表面に接着される細長帯板状の糊代片２４とからなり、全体が四角筒状を呈している。
尚、胴部Ｂ１の具体的構成、形状、正面板２０の具体的形状、寸法、背面板２１の具体的形状、寸法、右側板２２の具体的形状、寸法、左側板２３の具体的形状、寸法、糊代片２４の具体的形状、寸法、配設位置、折目線２５の具体的構成等は、図示例のもの等に限定されることなく、適宜自由に設定、変更できるものである。
【００２０】
前記箱本体Ｂの底部Ｂ２は、正面板２０の下端縁に折目線３３を介して連設される矩形状の底板３０と、この底板３０の後端縁に折目線３４を介して連設される偏平舌片状の差込片３２と、右側板２２の下端縁に折目線３３を介して連設される台形状の折曲片３１と、左側板２３の下端縁に折目線３３を介して連設される台形状の折曲片３１とからなり、左右の折曲片３１を折目線３３で内がわに折曲げてから、底板３０を折目線３３で内がわに折曲げると共に、差込片３２を背面板２１の内表面下端部分に接するように差し込むことにより、組立てできるよう構成されている。
尚、底部Ｂ２の具体的構成、形状、底板３０の具体的形状、寸法、折曲片３１の具体的形状、寸法、差込片３２の具体的形状、寸法、折目線３３、３４の具体的構成等は、図示例のもの等に限定されることなく、適宜自由に設定、変更できるものである。
【００２１】
前記箱本体Ｂの蓋部Ｂ３は、正面板２０の上端縁に折目線４３を介して連設される矩形状の蓋片４０と、この蓋片４０後端縁に折目線４４を介して連設される偏平舌片状の差込片４２と、右側板２２の上端縁に折目線４３を介して連設される台形状の折曲片４１と、左側板２３の上端縁に折目線４３を介して連設される台形状の折曲片４１とからなり、左右の折曲片４１を折目線４３で内がわに折曲げてから、蓋片４０を折目線４３で内がわに折曲げると共に、差込片４２を背面板２１の上端部分の内表面がわに差し込む（背面板２１の内表面がわに折返された表示基板Ａの外表面に接するように差し込む）ことにより、組立てできるよう構成されている。
尚、蓋部Ｂ３の具体的構成、形状、蓋片４０の具体的形状、寸法、折曲片４１の具体的形状、寸法、差込片４２の具体的形状、寸法、折目線４３、４４の具体的構成等は、図示例のもの等に限定されることなく、適宜自由に設定、変更できるものである。
【００２２】
前記表示基板Ａは、イラストや宣伝広告の如き表示（或いは、取扱い説明や、品質、成分、使用方法、その他でも良い）がその外表面に施される矩形状の広告表示片１と、広告表示片１の左右側端縁部に沿うように夫々配されると共に、背面板２１と広告表示片１とを連結する左右の細長帯片状の可撓連結片２とを備えたものである。
具体的には、表示基板Ａを背面板２１の上端縁に一体的に連設し、表示基板Ａと背面板２１との境部分の中央に切込線４を設けると共に、この切込線４の左右に可撓連結片２と背面板２１とを連設する折目線３を夫々設け、前記切込線４の左右端部から表示基板Ａの前端がわに向って平行な切込線５を設けることにより、広告表示片１と左右の可撓連結片２とが設けられるように構成されている。すなわち、広告表示片１と背面板２１とは切込線５で分離されており、広告表示片１の左右に折目線６を介して左右の可撓連結片２が夫々連設され、左右の可撓連結片２は、折目線３を介して背面板２１の上端縁左右に連設されている。尚、前記切込線４には、必要に応じて簡単に破断できるような適数の切残部を設けてあっても良い。
【００２３】
更に、広告表示片１及び可撓連結片２は、切込線４及び折目線３を介して背面板２１の内表面がわに折返されると共に、折返された広告表示片１の下端中央部分が接着層１６を介して背面板２１の内表面に接着される。
しかも、広告表示片１の下端部には、前記接着層１６部分を囲繞し、且つ切残部１２を含むような逆Ｕ字状の切込線１１が設けてあり、折返されて背面板２１の内表面に接着された状態の広告表示片１の上端部分を、手指で摘んで上方に引くことにより、前記切残部１２が破断して、可撓連結片２を変形させながら、広告表示片１を強制的に引き上げられるよう構成されている。尚、切込線１１で囲まれた部分が接着層１６を介して背面板２１内表面に接着される仮止片１０となる。
ところで、前記切込線４は、前記左右折目線３を結ぶ見かけ上の線より、若干下方に位置し、且つ緩やかな湾曲状に形成されており、表示基板Ａを背面板２１の内がわに折返したときに、蓋片４０外表面より稍上方に突出して、その上端部分が手指で摘み易くなるように形成されている。
また、前記可撓連結片２には、長手方向に於いて適宜間隔で適数の折目筋を施しておき、可撓連結片２の変形（例えば、可撓連結片２の外表面及び内表面を貫通する方向に於いて、外表面がわが全体的に湾出するように変形し、広告表示片１を最大限引き出したときには、折目線６部分が折目線３部分に接触することで、それ以上の引き出しが阻止されるようになる。）が無理なくよりスムーズに行えるように形成してあっても良い。
更に、広告表示片１の上端寄り中央には、適宜透孔を穿設しておき（或いは、外力によって容易に破断できるように形成した切残部を利用して、比較的簡単に穿設できるようにしておき）、この透孔を利用して適宜フック等に組立包装箱を吊下げできるようにしても良い。
尚、表示基板Ａの具体的構成、形状、広告表示片１の具体的形状、寸法、可撓連結片２の具体的形状、寸法、折目線３、６の具体的構成、切込線４の具体的構成、形状、寸法、配設位置、切込線５の具体的形状、寸法、配設位置、仮止片１０の具体的形状、寸法、配設位置、数、切込線１１の具体的形状、寸法、配設位置、切残部１２の具体的寸法、数、配設位置、接着層１６の具体的形状、寸法、配設位置等は、図示例のもの等に限定されることなく、適宜自由に設定、変更できるものである。
【実施例２】
【００２４】
図６乃至図１０に示す組立包装箱は、例えば、前記実施例１の箱本体Ｂと同じ構成を採用している組立包装箱である。
そして、表示基板Ａは、イラストや宣伝広告の如き表示（或いは、取扱い説明や、品質、成分、使用方法、その他でも良い）がその外表面に施される矩形状の広告表示片１と、広告表示片１の左右の側端縁部に沿うように配されると共に、背面板２１と広告表示片１とを連結する左右の細長帯片状の可撓連結片２とを備え、広告表示片１及び可撓連結片２は、切込線４及び折目線３を介して背面板２１の内表面がわに折返されると共に、折返された広告表示片１の上端寄り部分が接着層１６を介して背面板２１の内表面に接着され、背面板２１の上端部に、前記接着層１６部分を囲繞し、且つ切残部２８を含むようなＵ字状の切込線２７を設け、折返されて背面板２１の内表面に接着された状態の広告表示片１の上端部分及び背面板２１の切込線２７で囲繞された部分（仮止片２６）を、手指で摘んで上方に引くことにより、前記切残部２８が破断して、可撓連結片２を変形させながら、広告表示片１を強制的に引き上げられるよう構成されたものである。すなわち、広告表示片１と背面板２１とは切込線５で分離されており、広告表示片１の左右に折目線６を介して左右の可撓連結片２が夫々連設され、左右の可撓連結片２は、折目線３を介して背面板２１の上端縁左右に連設されている。尚、前記切込線４には、必要に応じて簡単に破断できるような適数の切残部を設けてあっても良い。
更に、広告表示片１の上端寄り中央及び仮止片２６には、これらを貫通するようなより丈夫な透孔を穿設しておき（或いは、外力によって容易に破断できるように形成した切残部を利用して、比較的簡単に穿設できるようにしておき）、この透孔を利用して適宜フック等に組立包装箱を吊下げできるようにしても良い。
ところで、表示基板Ａは、仮止片２６や切込線２７や切残部２８や接着層１６を除くその他の部分は、前記実施例１のものと同様に構成されている。
尚、表示基板Ａの具体的構成、形状、広告表示片１の具体的形状、寸法、可撓連結片２の具体的形状、寸法、折目線３、６の具体的構成、切込線４の具体的形状、寸法、配設位置、切込線５の具体的形状、寸法、配設位置、仮止片２６の具体的形状、寸法、配設位置、切込線２７の具体的形状、寸法、配設位置、切残部２８の具体的寸法、数、配設位置、接着層１６の具体的形状、寸法、配設位置、数等は、図示例のもの等に限定されることなく、適宜自由に設定、変更できるものである。
【実施例３】
【００２５】
また、図１１及び図１２は、表示基板Ａのその他の実施例を例示するもので、図１１の表示基板Ａは、例えば、イラストや宣伝広告の如き表示がその外表面に施されるハート形の広告表示片１と、広告表示片１の一方の（或いは他方の）側端縁部に沿うように夫々配されると共に、背面板２１と広告表示片１とを連結する一つの細長帯片状の可撓連結片２とを備えたものである。
しかも、広告表示片１及び可撓連結片２は、切込線４及び折目線３を介して背面板２１の内表面がわに折返されると共に、折返された広告表示片１の一方の（或いは他方の）側端縁部寄り下端部分が接着層１６を介して背面板２１の内表面に接着され、広告表示片１の一方の（或いは他方の）側端縁部寄り下端部に、前記接着層１６部分を囲繞し、且つ切残部１２を含むような矩形状の切込線１１を設け、折返されて背面板２１の内表面に接着された状態の広告表示片１の上端部分を、手指で摘んで上方に引くことにより、前記切残部１２が破断して、可撓連結片２を変形させながら、広告表示片１を強制的に引き上げられるよう構成されている。
加えて、この広告表示片１は、引き上げた後に可撓連結片２の変形によって左右に傾けることが可能となり、広告表示片１をより装飾的な配置状態にセットできるよう形成されている。
【００２６】
更に、図１２の表示基板Ａは、イラストや宣伝広告の如き表示がその外表面に施されるハート形の広告表示片１と、広告表示片１の一方の（或いは他方の）側端縁部に沿うように夫々配されると共に、背面板２１と広告表示片１とを連結する一つの可撓連結片２とを備えたものである。
しかも、広告表示片１及び可撓連結片２は、切込線４及び折目線３を介して背面板２１の内表面がわに折返されると共に、折返された広告表示片１の上端中央部分が接着層１６を介して背面板２１の内表面に接着され、背面板２１の上端中央部に、前記接着層１６部分を囲繞し、且つ切残部２８を含むような舌片状の切込線２７を設け、折返されて背面板２１の内表面に接着された状態の広告表示片１の上端部分及び背面板２１の切込線２７で囲繞された部分（仮止片２６）を、手指で摘んで上方に引くことにより、前記切残部２８が破断して、可撓連結片２を変形させながら、広告表示片１を強制的に引き上げられるよう構成されている。
加えて、この広告表示片１は、引き上げた後に可撓連結片２の変形によって左右に傾けることが可能となり、広告表示片１をより装飾的な配置状態にセットできるよう形成されている。
【実施例４】
【００２７】
そして、図１３乃至図１８は、蓋部Ｂ３のその他の実施例を例示するもので、図１３乃至図１５の蓋部Ｂ３は、例えば、左側板２３の上端縁に折目線４３を介して連設される矩形状の蓋片４０と、この蓋片４０の前後端縁に折目線４４を介して夫々連設される台形状の差込片４５と、蓋片４０の右側端縁に折目線４４を介して連設される偏平舌片状の差込片４２とからなり、前後の差込片４５と差込片４２を胴部Ｂ１の内側面がわに差し込むことにより、胴部Ｂ１の上端部分を施蓋できるように形成されている。しかも、蓋片４０の右側端縁中央部分と胴部Ｂ１の右側板２２の上端縁中央部分とに跨るように封緘シール５０を貼着することにより、蓋部Ｂ３による安定した施蓋状態を維持できるようになる。
【００２８】
また、図１６乃至図１８の蓋部Ｂ３は、例えば、正面板２０の上端縁に折目線４３を介して連設される矩形状の蓋片４０と、この蓋片４０の後端縁に折目線４４を介して連設される偏平舌片状の差込片４２と、蓋片４０の右側端縁に折目線４８を介して連設される三角状の上がわの折込蓋片４６と、右側板２２の上端縁に折目線４８を介して連設される三角状の下がわの折込蓋片４６と、左側板２３の上端縁に折目線４３を介して連設される台形状の折曲片４１とからなり、上がわの折込蓋片４６と下がわの折込蓋片４６とは、折込線４７を介して連設されており、折曲片４１を折目線４３で内がわに折曲げ、上がわの折込蓋片４６と下がわの折込蓋片４６が重なるように折目線４８と折込線４７で折曲げると共に、蓋片４０を折目線４３で内がわに折曲げ、差込片４２を、広告表示片１の外表面に接するように胴部Ｂ１の内側面がわに差し込むことにより、胴部Ｂ１の上端部分を施蓋できるように形成されている。しかも、蓋片４０の左側端縁中央部分と胴部Ｂ１の左側板２３の上端縁中央部分とに跨るように封緘シール５０を貼着することにより、蓋部Ｂ３による安定した施蓋状態を維持できるようになる。
【００２９】
ところで、本発明の組立包装箱は、例えば、中空直方体状を呈するものが多く、この組立包装箱に収納される商品は、例えば、円柱状の胴部を有するものが多い。すると、組立包装箱内に収納された商品と、組立包装箱内表面との間に於いて、背面板２１の左右側端縁部分にあっては、多少の隙間空間が設けられるようになり、この隙間空間を利用して可撓連結片２の変形がよりスムーズに行えるようになっている。
【００３０】
また、背面板２１の上端縁部分に切込線２７で囲繞される仮止片２６を設けた組立包装箱にあっては、広告表示片１の上端部分を手指で上方に引く前に、仮止片２６の下部を外表面がわから手指で押圧して、切残部２８を破断すると共に、広告表示片１の上端部が後方に傾くようすることで、仮止片２６と共に広告表示片１上端部分をより摘み易くすることが可能となる。
【産業上の利用可能性】
【００３１】
しかして、本発明の組立包装箱は、化粧品や、薬品や、ドリンク剤や、その他の適宜商品を収納でき、店頭等に陳列でき、特に、イラストや広告宣伝の如き表示が施された広告表示片１を必要に応じて箱本体Ｂからスムーズに引き出して陳列でき、購買者の視線を引き付けることができ、しかも、広告表示片１や可撓連結片２を損傷することがなく、広告表示片１や可撓連結片２が商品の収納作業に影響せず、商品の収納がスムーズに行え、包装作業が簡単に且つ迅速に行え、商品の収納作業の自動化が行い易く、コストの低減が可能な組立包装箱となる。
【符号の説明】
【００３２】
Ａ      表示基板
１      広告表示片
２      可撓連結片
３      折目線
４      切込線
５      切込線
６      折目線
１０    仮止片
１１    切込線
１２    切残部
１６    接着層
Ｂ      箱本体
Ｂ１    胴部
Ｂ２    底部
Ｂ３    蓋部
２０    正面板
２１    背面板
２２    右側板
２３    左側板
２４    糊代片
２５    折目線
２６    仮止片
２７    切込線
２８    切残部
３０    底板
３１    折曲片
３２    差込片
３３    折目線
３４    折目線
４０    蓋片
４１    折曲片
４２    差込片
４３    折目線
４４    折目線
４５    差込片
４６    折込蓋片
４７    折込線
４８    折目線
５０    封緘シール
【図１】
0005335752.tif 000002
【図２】
0005335752.tif 000003
【図３】
0005335752.tif 000004
【図４】
0005335752.tif 000005
【図５】
0005335752.tif 000006
【図６】
0005335752.tif 000007
【図７】
0005335752.tif 000008
【図８】
0005335752.tif 000009
【図９】
0005335752.tif 000010
【図１０】
0005335752.tif 000011
【図１１】
0005335752.tif 000012
【図１２】
0005335752.tif 000013
【図１３】
0005335752.tif 000014
【図１４】
0005335752.tif 000015
【図１５】
0005335752.tif 000016
【図１６】
0005335752.tif 000017
【図１７】
0005335752.tif 000018
【図１８】
0005335752.tif 000019